(57)【要約】      （修正有）【課題】ＳＣＲＩの送信の送信に係る不要なリソース消費を回避する。【解決手段】移動局ＵＥは、ＵＴＲＡＮから、ＣＥＬＬ_ＰＣＨ状態又はＵＲＡ_ＰＣＨ状態におけるＳＣＲＩの送信を許諾するか否かについて通知する第１送信許諾情報を受信するように構成されている通信制御部１１と、移動局ＵＥがＣＥＬＬ_ＰＣＨ状態又はＵＲＡ_ＰＣＨ状態である場合で、かつ、移動局ＵＥにおいて送受信すべきデータがない場合に、第１送信許諾情報に基づいて、ＳＣＲＩを送信するか否かについて判定するように構成されている送信判定部１３とを具備する。【選択図】図２
2014075712.tif 000002
【特許請求の範囲】
【請求項１】
移動局であって、
無線アクセスネットワークから、ＣＥＬＬ_ＰＣＨ（Ｐａｇｉｎｇ  Ｃｈａｎｎｅｌ）状態又はＵＲＡ（ＵＴＲＡ  Ａｃｃｅｓｓ）_ＰＣＨ状態におけるＳＣＲＩ（Ｓｉｎｇａｌｌｉｎｇ  Ｃｏｎｎｅｃｔｉｏｎ  Ｒｅｌｅａｓｅ  Ｉｎｄｉｃａｔｉｏｎ）の送信を許諾するか否かについて通知する第１送信許諾情報を受信するように構成されている通信制御部と、
前記移動局がＣＥＬＬ_ＰＣＨ状態又はＵＲＡ_ＰＣＨ状態である場合で、かつ、該移動局において送受信すべきデータがない場合に、前記第１送信許諾情報に基づいて、前記ＳＣＲＩを送信するか否かについて判定するように構成されている送信判定部とを具備することを特徴とする移動局。
【請求項２】
前記通信制御部は、前記無線アクセスネットワークからの指示に従って、前記ＳＣＲＩを送信するか否かについて判定する能力を具備しているか否かについて通知する能力情報を送信するように構成されていることを特徴とする請求項１に記載の移動局。
【請求項３】
前記通信制御部は、前記無線アクセスネットワークから、ＣＥＬＬ_ＤＣＨ（Ｄｅｄｉｃａｔｅｄ  Ｃｈａｎｎｅｌ）状態又はＣＥＬＬ_ＦＡＣＨ（Ｆｏｒｗａｒｄ  Ａｃｃｅｓｓ  Ｃｈａｎｎｅｌ）状態におけるＳＣＲＩの送信を許諾するか否かについて通知する第２送信許諾情報を受信するように構成されており、
前記送信判定部は、前記移動局がＣＥＬＬ_ＤＣＨ状態又はＣＥＬＬ_ＦＡＣＨ状態である場合で、かつ、該移動局において送受信すべきデータがない場合に、前記第２送信許諾情報に基づいて、前記ＳＣＲＩを送信するか否かについて判定するように構成されていることを特徴とする請求項１又は２に記載の移動局。
【請求項４】
無線アクセスネットワーク装置であって、
移動局においてＣＥＬＬ_ＰＣＨ（Ｐａｇｉｎｇ  Ｃｈａｎｎｅｌ）状態又はＵＲＡ（ＵＴＲＡ  Ａｃｃｅｓｓ）_ＰＣＨ状態におけるＳＣＲＩ（Ｓｉｎｇａｌｌｉｎｇ  Ｃｏｎｎｅｃｔｉｏｎ  Ｒｅｌｅａｓｅ  Ｉｎｄｉｃａｔｉｏｎ）の送信を許諾するか否かについて判定するように構成されている許諾判定部と、
前記移動局に対して、該移動局においてＣＥＬＬ_ＰＣＨ状態又はＵＲＡ_ＰＣＨ状態におけるＳＣＲＩの送信を許諾するか否かについて通知する第１送信許諾情報を送信するように構成されている通信制御部とを具備することを特徴とする無線アクセスネットワーク装置。
【請求項５】
前記通信制御部は、前記移動局から、前記ＳＣＲＩを送信する能力を具備しているか否かについて通知する能力情報を受信するように構成されており、
前記許諾判定部は、前記能力情報に基づいて、前記判定を行うように構成されていることを特徴とする請求項４に記載の無線アクセスネットワーク装置。
【請求項６】
前記許諾判定部は、ネットワークの状況に基づいて、前記判定を行うように構成されていることを特徴とする請求項４又は５に記載の無線アクセスネットワーク装置。
【請求項７】
前記許諾判定部は、前記移動局においてＣＥＬＬ_ＤＣＨ（Ｄｅｄｉｃａｔｅｄ  Ｃｈａｎｎｅｌ）状態又はＣＥＬＬ_ＦＡＣＨ（Ｆｏｒｗａｒｄ  Ａｃｃｅｓｓ  Ｃｈａｎｎｅｌ）状態におけるＳＣＲＩの送信を許諾するか否かについて判定するように構成されており、
前記通信制御部は、前記移動局に対して、該移動局においてＣＥＬＬ_ＤＣＨ状態又はＣＥＬＬ_ＦＡＣＨ状態におけるＳＣＲＩの送信を許諾するか否かについて通知する第２送信許諾情報を送信するように構成されていることを特徴とする請求項４乃至６のいずれか一項に記載の無線アクセスネットワーク装置。
【発明の詳細な説明】
【技術分野】
【０００１】
本発明は、移動局及び無線アクセスネットワーク装置に関する。
【背景技術】
【０００２】
３ＧＰＰの仕様では、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）において、パケット交換（ＰＳ）サービスにおける通信（パケット通信）を行っている移動局ＵＥは、送受信するデータがないと判断した場合、消費電流がより少ない状態へ遷移することを目的として、ＵＴＲＡＮに対して、ＳＣＲＩ（Ｓｉｇｎａｌｌｉｎｇ  Ｃｏｎｎｅｃｔｉｏｎ  Ｒｅｌｅａｓｅ  Ｉｎｄｉｃａｔｉｏｎ）を送信することで、送受信すべきデータがないことを通知することができる。
【０００３】
ここで、ＳＣＲＩには、「Ｃａｕｓｅ：ＰＳ  ｄａｔａ  ｓｅｓｓｉｏｎ  ｅｎｄ」が設定されるものとする。
【０００４】
第１に、図７を参照して、ＣＥＬＬ_ＤＣＨ（Ｄｅｄｉｃａｔｅｄ  Ｃｈａｎｎｅｌ）状態又はＣＥＬＬ_ＦＡＣＨ（Ｆｏｒｗａｒｄ  Ａｃｃｅｓｓ  Ｃｈａｎｎｅｌ）状態の移動局ＵＥがＳＣＲＩを送信する動作について説明する。
【０００５】
図７に示すように、ＣＥＬＬ_ＤＣＨ状態又はＣＥＬＬ_ＦＡＣＨ状態の移動局ＵＥが、パケット通信を行っている場合に、ステップＳ１０１において、送受信すべきデータが無いと判断した場合、ステップＳ１０２において、ＵＴＲＡＮに対して、「Ｃａｕｓｅ：ＰＳ  ｄａｔａ  ｓｅｓｓｉｏｎ  ｅｎｄ」が設定されたＳＣＲＩを送信する。
【０００６】
かかるＳＣＲＩを受信したＵＴＲＡＮは、運用ポリシーに応じて、３ＧＰＰで規定されているメッセージを用いて、ステップＳ１０３-Ａに示す手順によって、移動局ＵＥをＣＥＬＬ_ＰＣＨ（Ｐａｇｉｎｇ  Ｃｈａｎｎｅｌ）状態に遷移させるか、或いは、ステップＳ１０３-Ｂに示す手順によって、移動局ＵＥをＩＤＬＥ状態に遷移させる。
【０００７】
第２に、図８を参照して、ＣＥＬＬ_ＰＣＨ又はＵＲＡ（ＵＴＲＡ  Ａｃｃｅｓｓ）_ＰＣＨ状態の移動局ＵＥがＳＣＲＩを送信する動作について説明する。
【０００８】
図８に示すように、ＣＥＬＬ_ＰＣＨ状態又はＵＲＡ_ＰＣＨ状態の移動局ＵＥが、パケット通信を行っている場合に、ステップＳ２０１において、送受信すべきデータが無いと判断した場合、ステップＳ２０２において、ＣＥＬＬ/ＵＲＡ  ｕｐｄａｔｅ手順を実行し、ステップＳ２０３において、ＣＥＬＬ_ＤＣＨ状態又はＣＥＬＬ_ＦＡＣＨ状態に遷移する。
【０００９】
ステップＳ２０４において、ＣＥＬＬ_ＤＣＨ状態又はＣＥＬＬ_ＦＡＣＨ状態に遷移した移動局ＵＥは、ＵＴＲＡＮに対して、「Ｃａｕｓｅ：ＰＳ  ｄａｔａ  ｓｅｓｓｉｏｎ  ｅｎｄ」が設定されたＳＣＲＩを送信する。
【００１０】
かかるＳＣＲＩを受信したＵＴＲＡＮは、運用ポリシーに応じて、３ＧＰＰで規定されているメッセージを用いて、ステップＳ２０５-Ａに示す手順によって、移動局ＵＥをＣＥＬＬ_ＰＣＨ状態に遷移させるか、或いは、ステップＳ２０５-Ｂに示す手順によって、移動局ＵＥをＩＤＬＥ状態に遷移させる。
【先行技術文献】
【非特許文献】
【００１１】
【非特許文献１】３ＧＰＰ  ＴＳ２５.３３１
【発明の概要】
【発明が解決しようとする課題】
【００１２】
一般的に、ＣＥＬＬ_ＰＣＨ状態又はＵＲＡ_ＰＣＨ状態の移動局ＵＥにおける消費電力は、ＩＤＬＲ状態の移動局ＵＥにおける消費電力とほぼ同等である。
【００１３】
また、ＵＴＲＡＮは、上述のように、ＳＣＲＩを受信した契機で、対象の移動局ＵＥの状態を遷移させたり維持させたりするように構成されている。
【００１４】
しかしながら、かかるネットワーク環境において、ＣＥＬＬ_ＰＣＨ状態又はＵＲＡ_ＰＣＨ状態の移動局ＵＥが、消費電流のより少ないＩＤＬＥ状態へ遷移することを希望してＳＣＲＩを送信することを試みる場合に、上述のように、一旦、ＣＥＬＬ_ＤＣＨ状態又はＣＥＬＬ_ＦＡＣＨ状態に遷移した後に、ＳＣＲＩを送信することになる。
【００１５】
ここで、ＵＴＲＡＮが、かかる移動局ＵＥをＩＤＬＥ状態へ遷移させたくないような場合は、移動局ＵＥが、ＩＤＬＥ状態へ遷移することを期待しているが、かかる期待は叶わないことになる。
【００１６】
かかる場合、移動局ＵＥとＵＴＲＡＮとの間で信号をやり取りするだけで、移動局ＵＥ及びＵＴＲＡＮ共に、信号の処理負荷や状態遷移に伴う電力消費のみが発生するだけであり、不要なリソース消費に繋がってしまうという問題点があった。
【００１７】
そこで、本発明は、上述の課題に鑑みてなされたものであり、ＳＣＲＩの送信に係る不要なリソース消費を回避することができる移動局及び無線アクセスネットワーク装置を提供することを目的とする。
【課題を解決するための手段】
【００１８】
本発明の第１の特徴は、移動局であって、無線アクセスネットワークから、ＣＥＬＬ_ＰＣＨ状態又はＵＲＡ_ＰＣＨ状態におけるＳＣＲＩの送信を許諾するか否かについて通知する第１送信許諾情報を受信するように構成されている通信制御部と、前記移動局がＣＥＬＬ_ＰＣＨ状態又はＵＲＡ_ＰＣＨ状態である場合で、かつ、該移動局において送受信すべきデータがない場合に、前記第１送信許諾情報に基づいて、前記ＳＣＲＩを送信するか否かについて判定するように構成されている送信判定部とを具備することを要旨とする。
【００１９】
本発明の第２の特徴は、無線アクセスネットワーク装置であって、移動局においてＣＥＬＬ_ＰＣＨ状態又はＵＲＡ_ＰＣＨ状態におけるＳＣＲＩの送信を許諾するか否かについて判定するように構成されている許諾判定部と、前記移動局に対して、該移動局においてＣＥＬＬ_ＰＣＨ状態又はＵＲＡ_ＰＣＨ状態におけるＳＣＲＩの送信を許諾するか否かについて通知する第１送信許諾情報を送信するように構成されている通信制御部とを具備することを要旨とする。
【発明の効果】
【００２０】
以上説明したように、本発明によれば、ＳＣＲＩの送信の送信に係る不要なリソース消費を回避することができる移動局及び無線アクセスネットワーク装置を提供することができる。
【図面の簡単な説明】
【００２１】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る無線基地局によって管理されている処理負荷用閾値の一例を示す図である。
【図５】本発明の第１の実施形態に係る移動局の動作を示すフローチャートである。
【図６】本発明の第１の実施形態に係る無線基地局の動作を示すフローチャートである。
【図７】従来技術を説明するための図である。
【図８】従来技術を説明するための図である。
【発明を実施するための形態】
【００２２】
（本発明の第１の実施形態に係る移動通信システム）
図１乃至図６を参照して、本発明の第１の実施形態に係る移動通信システムについて説明する。
【００２３】
図１に示すように、本実施形態に係る移動通信システムは、ＵＴＲＡＮ方式の移動通信システムであって、無線回線制御局ＲＮＣと、無線基地局ＮｏｄｅＢとを具備している。
【００２４】
図２に示すように、本実施形態に係る移動局ＵＥは、通信制御部１１と、状態判定部１２と、送信判定部１３とを具備している。
【００２５】
通信制御部１１は、移動局ＵＥにおける通信制御全般を処理するように構成されている。
【００２６】
例えば、通信制御部１１は、ＵＴＲＡＮから、ＣＥＬＬ_ＰＣＨ状態又はＵＲＡ_ＰＣＨ状態におけるＳＣＲＩの送信を許諾するか否かについて通知する第１送信許諾情報を受信するように構成されている。
【００２７】
また、通信制御部１１は、ＵＴＲＡＮから、ＣＥＬＬ_ＤＣＨ状態又はＣＥＬＬ_ＦＡＣＨ状態におけるＳＣＲＩの送信を許諾するか否かについて通知する第２送信許諾情報を受信するように構成されていてもよい。
【００２８】
なお、通信制御部１１は、報知情報や、移動局ＵＥをＣＥＬＬ_ＰＣＨ状態又はＵＲＡ_ＰＣＨ状態に遷移させるための個別信号等を介して、第１送信許諾情報や第２送信許諾情報を受信するように構成されていてもよい。
【００２９】
また、通信制御部１１は、ＵＴＲＡＮからの指示に従って、ＳＣＲＩを送信するか否かについて判定する能力を具備しているか否かについて通知する能力情報を送信するように構成されていてもよい。
【００３０】
或いは、通信制御部１１は、ＵＴＲＡＮに対して、ＳＣＲＩを送信する能力を具備しているか否かについて通知する能力情報を送信するように構成されていてもよい。
【００３１】
ここで、通信制御部１１は、「ＲＲＣ  Ｃｏｎｎｅｃｔｉｏｎ  Ｓｅｔｕｐ  Ｃｏｍｐｌｅｔｅ」等によって、かかる能力情報を送信するように構成されていてもよい。
【００３２】
状態判定部１２は、移動局ＵＥの状態（ＩＤＬＥ状態/ＣＥＬＬ_ＰＣＨ状態/ＵＲＡ_ＰＣＨ状態/ＣＥＬＬ_ＤＣＨ状態/ＣＥＬＬ_ＦＡＣＨ状態等のＲＲＣ  Ｓｔａｔｕｓ）を管理するように構成されている。
【００３３】
送信判定部１３は、状態判定部１２から取得した移動局ＵＥの状態及び第１送信許諾情報に基づいて、ＳＣＲＩを送信するか否かについて判定するように構成されている。
【００３４】
例えば、送信判定部１３は、移動局ＵＥがＣＥＬＬ_ＰＣＨ状態又はＵＲＡ_ＰＣＨ状態である場合で、かつ、移動局ＵＥにおいて送受信すべきデータがない場合に、第１送信許諾情報に基づいて、ＳＣＲＩを送信するか否かについて判定するように構成されていてもよい。
【００３５】
具体的には、送信判定部１３は、移動局ＵＥがＣＥＬＬ_ＰＣＨ状態又はＵＲＡ_ＰＣＨ状態である場合で、かつ、移動局ＵＥにおいて送受信すべきデータがない場合で、かつ、第１送信許諾情報によってＣＥＬＬ_ＰＣＨ状態又はＵＲＡ_ＰＣＨ状態におけるＳＣＲＩの送信を許諾することが通知されている場合に、ＳＣＲＩを送信すると決定するように構成されていてもよい。
【００３６】
一方、送信判定部１３は、移動局ＵＥがＣＥＬＬ_ＰＣＨ状態又はＵＲＡ_ＰＣＨ状態である場合で、かつ、移動局ＵＥにおいて送受信すべきデータがない場合で、かつ、第１送信許諾情報によってＣＥＬＬ_ＰＣＨ状態又はＵＲＡ_ＰＣＨ状態におけるＳＣＲＩの送信を許諾することが通知されていない場合に、ＳＣＲＩを送信しないと決定するように構成されていてもよい。
【００３７】
また、通信制御部１１が、上述の第２送信許諾情報を受信している場合、信判定部１３は、状態判定部１２を参照して、移動局ＵＥがＣＥＬＬ_ＤＣＨ状態又はＣＥＬＬ_ＦＡＣＨ状態である場合で、かつ、移動局ＵＥにおいて送受信すべきデータがない場合に、第２送信許諾情報に基づいて、ＳＣＲＩを送信するか否かについて判定するように構成されていてもよい。
【００３８】
具体的には、送信判定部１３は、移動局ＵＥがＣＥＬＬ_ＤＣＨ状態又はＣＥＬＬ_ＦＡＣＨ状態である場合で、かつ、移動局ＵＥにおいて送受信すべきデータがない場合で、かつ、第２送信許諾情報によってＣＥＬＬ_ＤＣＨ状態又はＣＥＬＬ_ＦＡＣＨ状態におけるＳＣＲＩの送信を許諾することが通知されている場合に、ＳＣＲＩを送信すると決定するように構成されていてもよい。
【００３９】
一方、送信判定部１３は、移動局ＵＥがＣＥＬＬ_ＤＣＨ状態又はＣＥＬＬ_ＦＡＣＨ状態である場合で、かつ、移動局ＵＥにおいて送受信すべきデータがない場合で、かつ、第２送信許諾情報によってＣＥＬＬ_ＤＣＨ状態又はＣＥＬＬ_ＦＡＣＨ状態におけるＳＣＲＩの送信を許諾することが通知されていない場合に、ＳＣＲＩを送信しないと決定するように構成されていてもよい。
【００４０】
図３に示すように、本実施形態に係る無線回線制御局ＲＮＣは、通信制御部２１と、許諾判定部２２とを具備している。
【００４１】
通信制御部２１は、無線回線制御局ＲＮＣにおける通信制御全般を処理するように構成されている。
【００４２】
例えば、通信制御部２１は、移動局ＵＥに対して、上述の第１送信許諾情報を送信するように構成されている。
【００４３】
また、通信制御部２１は、移動局ＵＥに対して、上述の第２送信許諾情報を送信するように構成されていてもよい。
【００４４】
ここで、通信制御部２１は、報知情報や、移動局ＵＥをＣＥＬＬ_ＰＣＨ状態又はＵＲＡ_ＰＣＨ状態に遷移させるための個別信号等を介して、第１送信許諾情報や第２送信許諾情報を送信するように構成されていてもよい。
【００４５】
また、通信制御部２１は、移動局ＵＥから、上述の能力情報を受信するように構成されていてもよい。
【００４６】
例えば、通信制御部２１は、「ＲＲＣ  Ｃｏｎｎｅｃｔｉｏｎ  Ｓｅｔｕｐ  Ｃｏｍｐｌｅｔｅ」等によって、かかる能力情報を受信するように構成されていてもよい。
【００４７】
許諾判定部２２は、移動局ＵＥにおいてＣＥＬＬ_ＰＣＨ状態又はＵＲＡ_ＰＣＨ状態におけるＳＣＲＩの送信を許諾するか否かについて判定するように構成されている。
【００４８】
また、許諾判定部２２は、移動局ＵＥにおいてＣＥＬＬ_ＤＣＨ状態又はＣＥＬＬ_ＦＡＨ状態におけるＳＣＲＩの送信を許諾するか否かについて判定するように構成されていてもよい。
【００４９】
ここで、許諾判定部２２は、通信制御部２１によって受信された能力情報に基づいて、上述の判定を行うように構成されていてもよい。
【００５０】
また、許諾判定部２２は、ネットワークの状況に基づいて、上述の判定を行うように構成されていてもよい。
【００５１】
例えば、許諾判定部２２は、図４に示すように、現在処理負荷ＡＢ％と処理負荷閾値ＸＸ％を比較して、現在処理負荷ＡＢ％が処理負荷閾値ＸＸ％を超過する場合に、移動局ＵＥにおいてＣＥＬＬ_ＰＣＨ状態又はＵＲＡ_ＰＣＨ状態におけるＳＣＲＩの送信を許諾しないと判定し、現在処理負荷ＡＢ％が処理負荷閾値ＸＸ％を超過しない場合に、移動局ＵＥにおいてＣＥＬＬ_ＰＣＨ状態又はＵＲＡ_ＰＣＨ状態におけるＳＣＲＩの送信を許諾すると判定するように構成されていてもよい。
【００５２】
なお、許諾判定部２２は、図４に示すように、現在処理負荷ＡＢ％と処理負荷閾値ＸＸ％を比較して、現在処理負荷ＡＢ％が処理負荷閾値ＸＸ％を超過する場合に、移動局ＵＥにおいてＣＥＬＬ_ＤＣＨ状態又はＣＥＬＬ_ＦＡＣＨ状態におけるＳＣＲＩの送信を許諾しないと判定し、現在処理負荷ＡＢ％が処理負荷閾値ＸＸ％を超過しない場合に、移動局ＵＥにおいてＣＥＬＬ_ＤＣＨ状態又はＣＥＬＬ_ＦＡＣＨ状態におけるＳＣＲＩの送信を許諾すると判定するように構成されていてもよい。
【００５３】
ここで、許諾判定部２２は、移動局ＵＥにおいてＣＥＬＬ_ＰＣＨ状態又はＵＲＡ_ＰＣＨ状態におけるＳＣＲＩの送信を許諾するか否かの判定に用いる処理負荷閾値ＸＸ％、及び、動局ＵＥにおいてＣＥＬＬ_ＤＣＨ状態又はＣＥＬＬ_ＦＡＣＨ状態におけるＳＣＲＩの送信を許諾するか否かの判定に用いる処理負荷閾値ＸＸ％として、同じ閾値を用いるように構成されていてもよいし、異なる閾値を用いるように構成されていてもよい。
【００５４】
ここで、図５を参照して、本実施形態に係る移動局ＵＥの動作について説明する。
【００５５】
図５に示すように、移動局ＵＥは、ステップＳ１０１において、送受信すべきデータがないと判定した場合に、ステップＳ１０２において、移動局ＵＥの状態（ＲＲＣ  Ｓｔａｔｕｓ）を判定する。  
【００５６】
移動局ＵＥの状態が、ＣＥＬＬ_ＤＣＨ状態又はＣＥＬＬ_ＦＡＣＨ状態である場合、本動作は、ステップＳ１０４に進み、移動局ＵＥの状態が、ＣＥＬＬ_ＰＣＨ状態又はＵＲＡ_ＰＣＨ状態である場合、本動作は、ステップＳ１０３に進む。
【００５７】
ステップＳ１０３において、移動局ＵＥは、第１送信許諾情報を受信しているか否かについて判定する。
【００５８】
移動局ＵＥが、第１送信許諾情報を受信していると判定した場合、本動作は、ステップＳ１０４に進み、移動局ＵＥが、第１送信許諾情報を受信していないと判定した場合、本動作は、ステップＳ１０６に進む。
【００５９】
移動局ＵＥは、ステップＳ１０４において、ＳＣＲＩを送信すると判定し、ステップＳ１０５において、ＳＣＲＩの送信処理を行う。
【００６０】
移動局ＵＥは、ステップＳ１０６において、ＳＣＲＩを送信しないと判定する。
【００６１】
次に、図６を参照して、本実施形態に係る無線回線制御局ＲＮＣの動作について説明する。
【００６２】
図６に示すように、ステップＳ２０１において、無線回線制御局ＲＮＣは、移動局ＵＥにおいてＣＥＬＬ_ＰＣＨ状態又はＵＲＡ_ＰＣＨ状態におけるＳＣＲＩの送信を許諾するか否かについて判定する。
【００６３】
無線回線制御局ＲＮＣは、移動局ＵＥにおいてＣＥＬＬ_ＰＣＨ状態又はＵＲＡ_ＰＣＨ状態におけるＳＣＲＩの送信を許諾すると判定すると、ステップＳ２０２において、移動局ＵＥに対して、ＣＥＬＬ_ＰＣＨ状態又はＵＲＡ_ＰＣＨ状態におけるＳＣＲＩの送信を許諾することを通知する第１送信許諾情報を送信する。
【００６４】
一方、線回線制御局ＲＮＣは、移動局ＵＥにおいてＣＥＬＬ_ＰＣＨ状態又はＵＲＡ_ＰＣＨ状態におけるＳＣＲＩの送信を許諾しないと判定すると、ステップＳ２０３において、移動局ＵＥに対して、ＣＥＬＬ_ＰＣＨ状態又はＵＲＡ_ＰＣＨ状態におけるＳＣＲＩの送信を許諾しないことを通知する第１送信許諾情報を送信するか、或いは、第１送信許諾情報自身を送信しない。
【００６５】
以上に述べた本実施形態の特徴は、以下のように表現されていてもよい。
【００６６】
本実施形態の第１の特徴は、移動局ＵＥであって、ＵＴＲＡＮ（無線アクセスネットワーク）から、ＣＥＬＬ_ＰＣＨ状態又はＵＲＡ_ＰＣＨ状態におけるＳＣＲＩの送信を許諾するか否かについて通知する第１送信許諾情報を受信するように構成されている通信制御部１１と、移動局ＵＥがＣＥＬＬ_ＰＣＨ状態又はＵＲＡ_ＰＣＨ状態である場合で、かつ、移動局ＵＥにおいて送受信すべきデータがない場合に、第１送信許諾情報に基づいて、ＳＣＲＩを送信するか否かについて判定するように構成されている送信判定部１３とを具備することを要旨とする。
かかる構成によれば、ＵＴＲＡＮが、ＣＥＬＬ_ＰＣＨ状態又はＵＲＡ_ＰＣＨ状態の移動局ＵＥをＩＤＬＥ状態に遷移させることができない場合に、移動局ＵＥにおいて、ＳＣＲＩの送信を抑制することができ、移動局ＵＥの信号処理に係る消費電力の削減を実現することができる。
【００６７】
本実施形態の第１の特徴において、通信制御部１１は、ＵＴＲＡＮからの指示に従って、ＳＣＲＩを送信するか否かについて判定する能力を具備しているか否かについて通知する能力情報を送信するように構成されていてもよい。
【００６８】
或いは、本実施形態の第１の特徴において、通信制御部１１は、ＵＴＲＡＮに対して、ＳＣＲＩを送信する能力を具備しているか否かについて通知する能力情報を送信するように構成されていてもよい。
【００６９】
かかる構成によれば、ＵＴＲＡＮが、ＳＣＲＩを送信する能力を具備する移動局ＵＥに対してのみ、上述の第１送信許諾情報を送信することで、ＵＴＲＡＮにおける無駄な無線リソースの利用を回避することができる。
【００７０】
本実施形態の第１の特徴において、通信制御部１１は、ＵＴＲＡＮから、ＣＥＬＬ_ＤＣＨ状態又はＣＥＬＬ_ＦＡＣＨ状態におけるＳＣＲＩの送信を許諾するか否かについて通知する第２送信許諾情報を受信するように構成されており、送信判定部１３は、移動局ＵＥがＣＥＬＬ_ＤＣＨ状態又はＣＥＬＬ_ＦＡＣＨ状態である場合で、かつ、移動局ＵＥにおいて送受信すべきデータがない場合に、第２送信許諾情報に基づいて、ＳＣＲＩを送信するか否かについて判定するように構成されていてもよい。
【００７１】
かかる構成によれば、ＵＴＲＡＮが、ＣＥＬＬ_ＤＣＨ状態又はＣＥＬＬ_ＦＡＨ状態の移動局ＵＥを、ＣＥＬＬ_ＰＣＨ状態やＵＲＡ_ＰＣＨ状態やＩＤＬＥ状態に遷移させることができない場合に、移動局ＵＥにおいて、ＳＣＲＩの送信を抑制することができ、移動局ＵＥの信号処理に係る消費電力の削減を実現することができる。
【００７２】
本実施形態の第２の特徴は、無線回線制御局ＲＮＣ（無線アクセスネットワーク装置）であって、移動局ＵＥにおいてＣＥＬＬ_ＰＣＨ状態又はＵＲＡ_ＰＣＨ状態におけるＳＣＲＩの送信を許諾するか否かについて判定するように構成されている許諾判定部２２と、移動局ＵＥに対して、移動局ＵＥにおいてＣＥＬＬ_ＰＣＨ状態又はＵＲＡ_ＰＣＨ状態におけるＳＣＲＩの送信を許諾するか否かについて通知する第１送信許諾情報を送信するように構成されている通信制御部２１とを具備することを要旨とする。
【００７３】
かかる構成によれば、予め移動局ＵＥに対して、ＣＥＬＬ_ＰＣＨ状態やＵＲＡ_ＰＣＨ状態の移動局ＵＥにおけるＳＣＲＩの送信を許諾するか否かについて通知することができるため、不要なＣＳＲＩの送信を抑止することができる。
【００７４】
その結果、ＵＴＲＡＮ及び移動局ＵＥの処理負荷の削減や、ＵＴＲＡＮにおける無駄な無線リソース利用の削減や、移動局ＵＥの信号処理に係る消費電力の削減を実現することができる。
【００７５】
本実施形態の第２の特徴において、通信制御部２１は、移動局ＵＥから、ＳＣＲＩを送信する能力を具備しているか否かについて通知する能力情報を受信するように構成されており、許諾判定部２２は、かかる能力情報に基づいて、上述の判定を行うように構成されていてもよい。
【００７６】
かかる構成によれば、無線回線制御局ＲＮＣは、ＳＣＲＩを送信する能力を具備する移動局ＵＥに対してのみ、上述の第１送信許諾情報を送信することで、ＵＴＲＡＮにおける無駄な無線リソースの利用を回避することができる。
【００７７】
本実施形態の第２の特徴において、許諾判定部２２は、ネットワークの状況に基づいて、上述の判定を行うように構成されていてもよい。
【００７８】
かかる構成によれば、無線回線制御局ＲＮＣは、ネットワーク状況に応じて、ＣＥＬＬ_ＰＣＨ状態又はＵＲＡ_ＰＣＨ状態の移動局ＵＥをＩＤＬＥ状態に遷移させるか否かについて判定することができる。
【００７９】
本実施形態の第２の特徴において、許諾判定部２２は、移動局ＵＥにおいてＣＥＬＬ_ＤＣＨ状態又はＣＥＬＬ_ＦＡＣＨ状態におけるＳＣＲＩの送信を許諾するか否かについて判定するように構成されており、通信制御部２１は、移動局ＵＥに対して、移動局ＵＥにおいてＣＥＬＬ_ＤＣＨ状態又はＣＥＬＬ_ＦＡＣＨ状態におけるＳＣＲＩの送信を許諾するか否かについて通知する第２送信許諾情報を送信するように構成されていてもよい。
【００８０】
かかる構成によれば、予め移動局ＵＥに対して、ＣＥＬＬ_ＤＣＨ状態又はＣＥＬＬ_ＦＡＣＨ状態の移動局ＵＥにおけるＳＣＲＩの送信を許諾するか否かについて通知することができるため、不要なＣＳＲＩの送信を抑止することができる。
【００８１】
その結果、ＵＴＲＡＮ及び移動局ＵＥの処理負荷の削減や、ＵＴＲＡＮにおける無駄な無線リソース利用の削減や、移動局ＵＥの信号処理に係る消費電力の削減を実現することができる。
【００８２】
なお、上述の移動局ＵＥや無線回線制御局ＲＮＣや無線基地局ＮｏｄｅＢの動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）内に設けられていてもよい。かかるＡＳＩＣは、移動局ＵＥや無線回線制御局ＲＮＣや無線基地局ＮｏｄｅＢ内に設けられていてもよい。また、かかる記憶媒体及びプロセッサは、ディスクリートコンポーネントとして移動局ＵＥや無線回線制御局ＲＮＣや無線基地局ＮｏｄｅＢ内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ＮｏｄｅＢ…無線基地局
ＲＮＣ…無線回線制御局
ＵＥ…移動局
１１、２１…通信制御部
１２…状態判定部
１３…送信判定部
２２…許諾判定部
【図１】
2014075712.tif 000003
【図２】
2014075712.tif 000004
【図３】
2014075712.tif 000005
【図４】
2014075712.tif 000006
【図５】
2014075712.tif 000007
【図６】
2014075712.tif 000008
【図７】
2014075712.tif 000009
【図８】
2014075712.tif 000010